(57)【要約】【課題】本発明は、光学レンズをレンズ保持部材に接着してなるレンズユニットに関し、レンズ保持部材に光学レンズを高い精度で接着することを目的とする。【解決手段】光学レンズをレンズ保持部材に接着剤により接着してなるレンズユニットにおいて、前記レンズ保持部材に、前記光学レンズの基準面を有する取付部が収容される凹部を形成するとともに、前記凹部の底面側に、前記取付部の基準面が当接される保持部材側基準面と、該保持部材側基準面に対して前記凹部の壁面側に位置される窪み状の接着剤溜りとを形成し、前記光学レンズの前記取付部は、脚部を有し、前記接着剤溜りに前記脚部を挿入し、前記接着剤溜りに注入された接着剤により前記脚部を前記凹部の底面側に接着してなることを特徴とする。【選択図】      図１
2005037601.tif 000002
【特許請求の範囲】
【請求項１】
光学レンズをレンズ保持部材に接着剤により接着してなるレンズユニットにおいて、
前記レンズ保持部材に、前記光学レンズの基準面を有する取付部が収容される凹部を形成するとともに、前記凹部の底面側に、前記取付部の基準面が当接される保持部材側基準面と、該保持部材側基準面に対して前記凹部の壁面側に位置される窪み状の接着剤溜りとを形成し、前記光学レンズの前記取付部は、脚部を有し、
前記接着剤溜りに前記脚部を挿入し、前記接着剤溜りに注入された接着剤により前記脚部を前記凹部の底面側に接着してなることを特徴とするレンズユニット。
【請求項２】
請求項１記載のレンズユニットにおいて、
前記取付部における前記基準面の反対側面と前記凹部の壁面とに跨って熱硬化性の接着剤を塗布することにより前記取付部と前記レンズ保持部材とを接着し、前記凹部において前記熱硬化性の接着剤の分離液が流れ込む位置に、前記接着剤溜りを形成してなることを特徴とするレンズユニット。
【請求項３】
請求項２記載のレンズユニットにおいて、
前記接着剤溜りに注入される接着剤および前記取付部の前記基準面の反対側面に塗布する熱硬化性の接着剤は、主剤と硬化剤とを混合した１液性の接着剤からなることを特徴とするレンズユニット。
【請求項４】
請求項２記載のレンズユニットにおいて、
前記取付部の前記基準面の反対側面に塗布する熱硬化性の接着剤は、主剤と硬化剤とを混合した１液性の接着剤からなり、前記接着剤溜りに硬化剤のみを注入し、該硬化剤を前記分離液により硬化してなることを特徴とするレンズユニット。
【発明の詳細な説明】
【０００１】
【発明の属する技術分野】
本発明は、光学レンズをレンズ保持部材に接着してなるレンズユニットに関する。
【０００２】
【従来の技術】
従来、カメラ等に配置される焦点検出装置として、例えば、特開平７−４９２２７号公報に開示されるものが知られている。
この公報に開示される焦点検出装置では、光学レンズの係合部が、レンズ保持部材の係合部に接着剤により接着されている。
【０００３】
レンズ保持部材の係合部には、液溜め部が形成され、光学レンズに形成される欠損部に接着剤を注入することにより液溜め部に接着剤が溜められる。
そして、液溜め部に溜まった接着剤は、毛細管現象により光学レンズの係合部とレンズ保持部材の係合部との接触面に吸い込まれ、光学レンズの係合部とレンズ保持部材の係合部との接触面が接着される。
【０００４】
【特許文献１】
特開平７−４９２２７号公報
【０００５】
【発明が解決しようとする課題】
しかしながら、このような従来の焦点検出装置では、光学レンズの係合部とレンズ保持部材の係合部との接触面が、接着剤により直接接着されるため、光学レンズの係合部とレンズ保持部材の係合部との間に接着剤層が形成され、レンズ保持部材に光学レンズを高い精度で接着することが困難であるという問題があった。
【０００６】
本発明は、かかる従来の問題を解決したもので、レンズ保持部材に光学レンズを高い精度で接着することができるレンズユニットを提供することを目的とする。
【０００７】
【課題を解決するための手段】
請求項１のレンズユニットは、光学レンズをレンズ保持部材に接着剤により接着してなるレンズユニットにおいて、前記レンズ保持部材に、前記光学レンズの基準面を有する取付部が収容される凹部を形成するとともに、前記凹部の底面側に、前記取付部の基準面が当接される保持部材側基準面と、該保持部材側基準面に対して前記凹部の壁面側に位置される窪み状の接着剤溜りとを形成し、前記光学レンズの前記取付部は、脚部を有し、前記接着剤溜りに前記脚部を挿入し、前記接着剤溜りに注入された接着剤により前記脚部を前記凹部の底面側に接着してなることを特徴とする。
【０００８】
請求項２のレンズユニットは、請求項１記載のレンズユニットにおいて、前記取付部における前記基準面の反対側面と前記凹部の壁面とに跨って熱硬化性の接着剤を塗布することにより前記取付部と前記レンズ保持部材とを接着し、前記凹部において前記熱硬化性の接着剤の分離液が流れ込む位置に、前記接着剤溜りを形成してなることを特徴とする。
【０００９】
請求項３のレンズユニットは、請求項２記載のレンズユニットにおいて、前記接着剤溜りに注入される接着剤および前記取付部の前記基準面の反対側面に塗布する熱硬化性の接着剤は、主剤と硬化剤とを混合した１液性の接着剤からなることを特徴とする。
請求項４のレンズユニットは、請求項２記載のレンズユニットにおいて、前記取付部の前記基準面の反対側面に塗布する熱硬化性の接着剤は、主剤と硬化剤とを混合した１液性の接着剤からなり、前記接着剤溜りに硬化剤のみを注入し、該硬化剤を前記分離液により硬化してなることを特徴とする。
【００１０】
（作用）
請求項１のレンズユニットでは、レンズ保持部材に形成される凹部に光学レンズの取付部が収容され、レンズ保持部材の凹部の底面側に形成される保持部材側基準面に、光学レンズの取付部に形成される基準面が当接される。
一方、レンズ保持部材の凹部の底面側には、保持部材側基準面に対して凹部の壁面側に位置して窪み状の接着剤溜りが形成され、この接着剤溜りに、光学レンズの取付部に形成される脚部が挿入される。
【００１１】
そして、脚部が、接着剤溜りに注入された接着剤により凹部の底面側に接着され、光学レンズがレンズ保持部材に固定される。
請求項２のレンズユニットでは、取付部における基準面の反対側面と凹部の壁面とに跨って熱硬化性の接着剤を塗布することにより取付部とレンズ保持部材とが接着される。
【００１２】
そして、熱硬化性の接着剤の分離液が、接着剤溜りに流れ込み、分離液が光学レンズのレンズ部または保持部材側基準面に流入することが防止される。
請求項３のレンズユニットでは、接着剤溜りに注入される接着剤および取付部の基準面の反対側面に塗布される熱硬化性の接着剤に、主剤と硬化剤とを混合した１液性の接着剤が使用される。
【００１３】
そして、取付部の基準面の反対側面に塗布された熱硬化性の接着剤の分離液が、接着剤溜りに流れ込み、接着剤溜りに注入された熱硬化性の接着剤により硬化され、分離液が光学レンズのレンズ部または保持部材側基準面に流入することが防止される。
請求項４のレンズユニットでは、取付部の基準面の反対側面に塗布される熱硬化性の接着剤に、主剤と硬化剤とを混合した１液性の接着剤が使用される。
【００１４】
そして、接着剤溜りには、硬化剤のみが注入され、取付部の基準面の反対側面に塗布される熱硬化性の接着剤の分離液を、接着剤溜りの硬化剤によって硬化する。
【００１５】
【発明の実施の形態】
以下、本発明の実施形態を図面を用いて詳細に説明する。
【００１６】
（第１の実施形態）
図１は、本発明のレンズユニットの第１の実施形態を示している。
この実施形態では、凸レンズからなる光学レンズ１が、レンズ保持部材３に保持されている。
【００１７】
光学レンズ１は、樹脂，ガラス等からなり、図２に示すように、レンズ部１ａの外周の３箇所に取付部１ｂが一体形成されている。
取付部１ｂは、直方体状をしており、レンズ部１ａの外周に１２０度の角度を置いて突出形成されている。
取付部１ｂの下面には、光学レンズ側基準面１ｄが形成されている。
【００１８】
レンズ保持部材３は、樹脂からなり、円筒状に形成されている。
レンズ保持部材３の上部には、１２０度の角度を置いて凹部３ａが形成されている。
この凹部３ａは、取付部１ｂを収容可能な形状をしており、レンズ保持部材３の上面３ｂおよび内周面３ｃに開口している。
【００１９】
凹部３ａの底面には、光学レンズ１の取付部１ｂの光学レンズ側基準面１ｄが当接する保持部材側基準面３ｄが形成されている。
光学レンズ側基準面１ｄおよび保持部材側基準面３ｄは、光学レンズ１の光軸方向の位置決めをする基準面となっている。
そして、この実施形態では、凹部３ａの底面には、窪み状の接着剤溜り３ｅが形成されている。
【００２０】
この接着剤溜り３ｅは、保持部材側基準面３ｄに対して凹部３ａの壁面側（外周側）となる位置に溝状に形成されている。
そして、凹部３ａの底面の接着剤溜り３ｅの形成されない部分が、保持部材側基準面３ｄとなっている。
一方、図１および図２に示すように、光学レンズ１の取付部１ｂの先端には、脚部１ｆが一体形成されている。この脚部１ｆは、直方体状をしており、接着剤溜り３ｅに進入可能に形成されている。脚部１ｆの突出長さは、光学レンズ１の取付部１ｂの光学レンズ側基準面１ｄを保持部材側基準面３ｄに当接した時に、脚部１ｆの下端が接着剤溜り３ｅの底面に干渉しない長さとなっている。
【００２１】
そして、脚部１ｆが、接着剤溜り３ｅに注入された熱硬化性の接着剤，瞬間接着剤等の接着剤４により、凹部３ａの底面側に接着されている。
上述したレンズユニットは、以下述べるようにして製造される。
先ず、レンズ保持部材３に形成される凹部３ａの接着剤溜り３ｅに接着剤４を注入する。
【００２２】
次に、レンズ保持部材３に形成された凹部３ａに光学レンズ１の取付部１ｂが嵌合され、レンズ保持部材３の凹部３ａの底面に形成された保持部材側基準面３ｄに、光学レンズ１の取付部１ｂに形成された光学レンズ側基準面１ｄを当接する。
そして、この状態では、脚部１ｆが接着剤溜り３ｅに挿入されており、接着剤溜り３ｅに注入された接着剤４により、脚部１ｆが凹部３ａの底面側に接着され、これにより、光学レンズ１がレンズ保持部材３に接着される。
【００２３】
上述したレンズユニットでは、レンズ保持部材３の凹部３ａの底面に形成された保持部材側基準面３ｄに、光学レンズ１の取付部１ｂに形成された光学レンズ側基準面１ｄを当接し、この当接面を接着することなく、光学レンズ１の取付部１ｂに形成される脚部１ｆを凹部３ａの底面側に形成される接着剤溜り３ｅに挿入して、接着剤溜り３ｅに注入された接着剤４により凹部３ａの底面側に接着したので、レンズ保持部材３に光学レンズ１を高い精度で接着することができる。
【００２４】
すなわち、上述したレンズユニットでは、レンズ保持部材３に形成された保持部材側基準面３ｄと、光学レンズ１に形成された光学レンズ側基準面１ｄとの間に接着剤４が介在されないため、保持部材側基準面３ｄと光学レンズ側基準面１ｄとを直接当接することが可能になり、レンズ保持部材３に光学レンズ１を高い精度で接着することができる。
【００２５】
（第２の実施形態）
図３は、本発明のレンズユニットの第２の実施形態を示している。
なお、この実施形態において第１の実施形態と同一の部材には、同一の符号を付して詳細な説明を省略する。
この実施形態では、光学レンズ１の取付部１ｂに形成された脚部１ｆが、接着剤溜り３ｅに注入された熱硬化性の接着剤５により、凹部３ａの底面側に接着されることに加え、取付部１ｂにおける光学レンズ側基準面１ｄの反対側面と、凹部３ａの壁面とに跨って熱硬化性の接着剤５を塗布することにより、取付部１ｂとレンズ保持部材３とが接着されている。
【００２６】
熱硬化性の接着剤５は、１液性の接着剤からなり、例えば、熱硬化性のエポキシ樹脂からなる主剤と、熱により破壊される微細なカプセル状の硬化剤とを混合して形成されている。
このような熱硬化性の接着剤５では、液状の主剤は、硬化のための加熱による温度の上昇により粘度が低下し液状となり、取付部１ｂと凹部３ａの壁面との間の微少な隙間における毛細管現象により、主剤の一部が硬化剤から分離し、分離液となる。
【００２７】
そして、分離液は、硬化後の温度の低下によりゲル状となり、常温では、ゲル状で存在することになる。
この実施形態では、取付部１ｂにおける光学レンズ側基準面１ｄの反対側面と凹部３ａの壁面とに跨って塗布された熱硬化性の接着剤（以下上側の接着剤ともいう）５の分離液５ａは、接着剤溜り３ｅに流れ込むようになっている。
【００２８】
また、図４に示すように、凹部３ａの底面の両側面（円筒状のレンズ保持部材３の周方向に沿って対向する側面）に沿って両側凹溝３ｈが形成されている。この両側凹溝３ｈは、レンズ保持部材３の内周面３ｃに開口することなく、内周面３ｃから所定の距離を置いた位置まで形成されている。
そして、凹部３ａの底面の接着剤溜り３ｅおよび両側凹溝３ｈの形成されない部分が、保持部材側基準面３ｄとなっている。
【００２９】
上述したレンズユニットは、以下述べるようにして製造される。
先ず、レンズ保持部材３に形成される凹部３ａの接着剤溜り３ｅに熱硬化性の接着剤５を注入する。
次に、レンズ保持部材３に形成された凹部３ａに光学レンズ１の取付部１ｂが嵌合され、レンズ保持部材３の凹部３ａの底面に形成された保持部材側基準面３ｄに、光学レンズ１の取付部１ｂに形成された光学レンズ側基準面１ｄを当接する。
【００３０】
この状態では、脚部１ｆが接着剤溜り３ｅに挿入されており、接着剤溜り３ｅに注入された接着剤５により、脚部１ｆが凹部３ａの底面側に接着され、これにより、光学レンズ１がレンズ保持部材３に接着される状態となる。
そして、この状態で、図５に示すように、取付部１ｂにおける光学レンズ側基準面１ｄの反対側面と凹部３ａの壁面とに跨って熱硬化性の接着剤５が塗布され、光学レンズ１の取付部１ｂの上下がレンズ保持部材３に接着される。
【００３１】
そして、接着剤５の硬化時の加熱による温度の上昇により上側の熱硬化性の接着剤５から分離した分離液５ａは、凹部３ａの壁面を伝わって直接、または両側凹溝３ｈを介して接着剤溜り３ｅに流れ込み、接着剤溜り３ｅに注入された熱硬化性の接着剤５により硬化される。
上述したレンズユニットでは、レンズ保持部材３の凹部３ａの底面に形成された保持部材側基準面３ｄに、光学レンズ１の取付部１ｂに形成された光学レンズ側基準面１ｄを当接させ、この当接面を接着することなく、光学レンズ１の取付部１ｂに形成される脚部１ｆを凹部３ａの底面側に形成される接着剤溜り３ｅに挿入して、接着剤溜り３ｅに注入された接着剤５により凹部３ａの底面側に接着したので、レンズ保持部材３に光学レンズ１を高い精度で接着することができる。
【００３２】
また、光学レンズ１の取付部１ｂの脚部１ｆを接着剤溜り３ｅに接着するとともに、取付部１ｂにおける基準面の反対側面と凹部３ａの壁面とに跨って熱硬化性の接着剤５を塗布することにより取付部１ｂとレンズ保持部材３とを接着したので、レンズ保持部材３に光学レンズ１をより強固に固定することができる。
さらに、取付部１ｂの基準面の反対側面に塗布された熱硬化性の接着剤５の分離液５ａが接着剤溜り３ｅに流れ込み、接着剤溜り３ｅに注入された熱硬化性の接着剤５により硬化されるため、分離液５ａが光学レンズ１のレンズ部１ａまたは保持部材側基準面３ｄに流入することを効果的に防止することができる。
【００３３】
なお、この実施形態では、光学レンズ１の取付部１ｂの脚部１ｆを接着剤溜り３ｅに接着する接着剤５に１液性の熱硬化性の接着剤５を用いた例について説明したが、本発明はかかる実施形態に限定されるものではなく、例えば、接着剤溜り３ｅに熱硬化性の接着剤の硬化剤のみを注入しても良い。
そして、この場合には、取付部１ｂの光学レンズ側基準面１ｄの反対側面に塗布される熱硬化性の接着剤５の分離液５ａが接着剤溜り３ｅに流れ込み、硬化剤により硬化され脚部１ｆの接着が行われる。そして、これにより、上側の熱硬化性の接着剤５の分離液５ａが光学レンズ１のレンズ部１ａまたは保持部材側基準面３ｄに流入することを効果的に防止することができる。
【００３４】
（第３の実施形態）
図６は、本発明のレンズユニットの第３の実施形態を示しており、この実施形態では、本発明がカメラの焦点検出装置に適用される。
この実施形態では、位相差検出方式の焦点検出装置の光学系を構成するセパレータレンズ１１が、絞りマスク１３を介して、樹脂からなるレンズ保持部材１５に保持されている。
【００３５】
レンズ保持部材１５には、樹脂からなる傾き調整部材１７を介して、センサ保持部材１９が配置されている。
センサ保持部材１９は、矩形状のセンサパッケージ２１の上面を覆って配置されている。
【００３６】
センサ保持部材１９の両側には、断面Ｌ字状の突出部１９ａが形成され、この突出部１９ａが、センサパッケージ２１に嵌合され接着剤により接着されている。
センサパッケージ２１には、例えば、ＣＣＤからなる矩形状のセンサ２３が配置されている。
図７および図８は、レンズ保持部材１５にセパレータレンズ１１を組み付けた状態を示しており、図９は、組み付け前の状態を示している。
【００３７】
図９に示すように、レンズ保持部材１５は、直方体状の外形をしており、奥側の中央には、コンデンサレンズを通過した被写体からの光を導入する矩形状の窓部１５ａが形成されている。
また、レンズ保持部材１５の手前側には、セパレータレンズ１１が嵌合される矩形状の凹部１５ｂが形成されている。
【００３８】
この凹部１５ｂの底面１５ｃの隅部には、セパレータレンズ１１側に突出する矩形状の突出部１５ｄが形成されている。
この突出部１５ｄの先端には、保持部材側基準面１５ｅが形成されている。
凹部１５ｂの底面１５ｃの窓部１５ａの上下には、セパレータレンズ１１の位置決め用のボス部１５ｆ，１５ｈが形成されている。
【００３９】
セパレータレンズ１１は、樹脂，ガラス等からなり、略直方体状に形成されている。
セパレータレンズ１１の四隅には、取付部１１ｃが形成され、この取付部１１ｃに光学レンズ側基準面１１ｄが形成されている。
この光学レンズ側基準面１１ｄは、図７に示すように、レンズ保持部材１５の凹部１５ｂに形成される保持部材側基準面１５ｅに当接する。
【００４０】
そして、この実施形態では、図１０に示すように、レンズ保持部材１５の凹部１５ｂの四隅に形成される突出部１５ｄには、接着剤溜り１５ｔが形成されている。この接着剤溜り１５ｔは、突出部１５ｄの角部に略矩形状に形成されている。
【００４１】
また、突出部１５ｄの内側に沿って、後述する分離液５ａの通路となる凹溝１５ｖが形成されている。
そして、突出部１５ｄの接着剤溜り１５ｔおよび凹溝１５ｖの形成されない部分が、保持部材側基準面１５ｅとなっている。
一方、図７に示すように、セパレータレンズ１１の取付部１１ｃには、脚部１５ｘが一体形成されている。この脚部１５ｘは、接着剤溜り１５ｔに進入可能な形状をしている。脚部１５ｘの突出長さは、セパレータレンズ１１の取付部１１ｃの光学レンズ側基準面１１ｄを、保持部材側基準面１５ｅに当接させた時に、脚部１５ｘの下端が接着剤溜り１５ｔの底面に干渉しない長さとなっている。
【００４２】
そして、脚部１５ｘが、接着剤溜り１５ｔに注入された熱硬化性の接着剤５により接着される。
また、この実施形態では、セパレータレンズ１１の光学レンズ側基準面１１ｄの裏側面が、図８に示すように、熱硬化性の接着剤５によりレンズ保持部材１５の凹部１５ｂの壁面１５ｍに接着される。
【００４３】
上述したセパレータレンズ１１のレンズ保持部材１５への固定は、以下述べるようにして行われる。
先ず、レンズ保持部材１５に形成される凹部１５ｂの接着剤溜り１５ｔに熱硬化性の接着剤５を注入する。
次に、レンズ保持部材１５に形成された凹部１５ｂにセパレータレンズ１１が嵌合され、レンズ保持部材１５の突出部１５ｄに形成された保持部材側基準面１５ｅに、セパレータレンズ１１の取付部１１ｃに形成された光学レンズ側基準面１１ｄを当接する。
【００４４】
この状態では、脚部１５ｘが接着剤溜り１５ｔに挿入されており、接着剤溜り１５ｔに注入された接着剤５により、脚部１５ｘが接着剤溜り１５ｔに接着され、これにより、セパレータレンズ１１がレンズ保持部材１５に接着される。
【００４５】
そして、この状態で、図８に示すように、取付部１１ｃにおける光学レンズ側基準面１１ｄの反対側面と凹部１５ｂの壁面１５ｍとに跨って熱硬化性の接着剤５が塗布され、セパレータレンズ１１の取付部１１ｃの上下がレンズ保持部材１５に接着される。
そして、接着剤５の硬化時の加熱による温度の上昇により上側の熱硬化性の接着剤５から分離した分離液５ａは、凹部１５ｂの壁面を伝わって接着剤溜り１５ｔに流れ込み、接着剤溜り１５ｔに注入された熱硬化性の接着剤５により硬化される。
【００４６】
上述したレンズユニットでは、レンズ保持部材１５の突出部１５ｄに形成された保持部材側基準面１５ｅに、セパレータレンズ１１の取付部１１ｃに形成された光学レンズ側基準面１１ｄを当接し、この当接面を接着することなく、セパレータレンズ１１の取付部１１ｃに形成された脚部１５ｘを接着剤溜り１５ｔに挿入して、接着剤溜り１５ｔに注入された接着剤５により接着剤溜り１５ｔに接着したので、レンズ保持部材１５にセパレータレンズ１１を高い精度で接着することができる。
【００４７】
また、セパレータレンズ１１の取付部１１ｃの脚部１５ｘを接着剤溜り１５ｔに接着するとともに、取付部１１ｃにおける光学レンズ側基準面１１ｄの反対側面と凹部１５ｂの壁面１５ｍとに跨って熱硬化性の接着剤５を塗布することにより取付部１１ｃとレンズ保持部材１５とを接着したので、レンズ保持部材１５にセパレータレンズ１１をより強固に固定することができる。
【００４８】
さらに、取付部１１ｃの光学レンズ側基準面１１ｄの反対側面に塗布された熱硬化性の接着剤５の分離液５ａが、凹溝１５ｖを介して接着剤溜り１５ｔに流れ込み、接着剤溜り１５ｔに注入された熱硬化性の接着剤５により硬化されるため、分離液５ａがセパレータレンズ１１のレンズ部または保持部材側基準面１５ｅに流入することを効果的に防止することができる。
【００４９】
【発明の効果】
以上述べたように、請求項１のレンズユニットでは、レンズ保持部材の凹部の底面側に形成された保持部材側基準面に、光学レンズの取付部に形成された光学レンズ側基準面を当接し、この当接面を接着することなく、光学レンズの取付部に形成される脚部を凹部の底面側に形成される接着剤溜りに挿入して、接着剤溜りに注入された接着剤により凹部の底面側に接着したので、レンズ保持部材に光学レンズを高い精度で接着することができる。
【００５０】
請求項２のレンズユニットでは、請求項１において、取付部における基準面の反対側面と凹部の壁面とに跨って熱硬化性の接着剤を塗布することにより取付部とレンズ保持部材とを接着したので、レンズ保持部材に光学レンズをより強固に固定することができる。
また、熱硬化性の接着剤の分離液が、接着剤溜りに流れ込むため、分離液が光学レンズのレンズ部または保持部材側基準面に流入することを有効に防止することができる。
【００５１】
請求項３のレンズユニットでは、取付部の基準面の反対側面に塗布された熱硬化性の接着剤の分離液が接着剤溜りに流れ込み、接着剤溜りに注入された熱硬化性の接着剤により硬化されるため、分離液が光学レンズのレンズ部または保持部材側基準面に流入することを効果的に防止することができる。
請求項４のレンズユニットでは、接着剤溜りに硬化剤のみを注入し、この硬化剤によって取付部の基準面の反対側面に塗布される熱硬化性の接着剤の分離液を硬化するようにしたので、分離液が光学レンズのレンズ部または保持部材側基準面に流入することを効果的に防止することができる。
【図面の簡単な説明】
【図１】本発明のレンズユニットの第１の実施形態を示す断面図である。
【図２】図１のレンズユニットを示す分解斜視図である。
【図３】本発明のレンズユニットの第２の実施形態を示す断面図である。
【図４】図３のレンズ保持部材を示す上面図である。
【図５】図３のレンズユニットを示す上面図である。
【図６】本発明のレンズユニットの第３の実施形態が適用される焦点検出装置を示す断面図である。
【図７】本発明のレンズユニットの第３の実施形態を示す断面図である。
【図８】図７のレンズユニットを示す斜視図である。
【図９】図７のレンズユニットを示す分解斜視図である。
【図１０】図７のレンズ保持部材に形成される接着剤溜りを示す説明図である。
【符号の説明】
１  光学レンズ
１ａ  レンズ部
１ｂ，１１ｃ  取付部
１ｆ，１５ｘ  脚部
１ｄ，１１ｄ  光学レンズ側基準面
３，１５  レンズ保持部材
３ａ  凹部
３ｄ，１５ｅ  保持部材側基準面
３ｅ，１５ｔ  接着剤溜り
４  接着剤
５  熱硬化性の接着剤
５ａ  分離液
１１  セパレータレンズ
【図１】
2005037601.tif 000003
【図２】
2005037601.tif 000004
【図３】
2005037601.tif 000005
【図４】
2005037601.tif 000006
【図５】
2005037601.tif 000007
【図６】
2005037601.tif 000008
【図７】
2005037601.tif 000009
【図８】
2005037601.tif 000010
【図９】
2005037601.tif 000011
【図１０】
2005037601.tif 000012